(57)【特許請求の範囲】
【請求項１】
電源と接続されたＢ接点、ヘッド接点、メインランプと接続されたメイン接点及びディマランプと接続されたディマ接点とからなる固定接点と、第１接点部、第１接点部と接続された第２接点部、第２接点部と接続された第３接点部、第３接点部及び第１接点部と接続された第４接点部とからなるパッシング用可動接点と、前記ディマランプの点灯状態をオン・オフさせるライティング用可動接点とを備えた前照灯切換スイッチであって、
前記ライティング用可動接点がオフのとき、前記ヘッド接点と前記第４接点部及び前記ディマ接点と前記第３接点部とが無印加状態で接触され、
前記ライティング用可動接点がオンのとき、前記ヘッド接点と前記第４接点部及び前記ディマ接点と前記第３接点部とが印加状態で接触され、
前記ライティング用可動接点がオフの状態で前記パッシング用可動接点が可動したとき、前記メイン接点と前記第１接点部→前記ヘッド接点と前記第２接点部及び第３接点部→前記Ｂ接点と前記第４接点部の順序で接触されて前記メインランプが点灯され、
前記ライティング用可動接点がオンの状態で前記パッシング用可動接点が可動したとき、前記メイン接点と前記第１接点部→前記ヘッド接点と前記第２接点部及び第３接点部→前記Ｂ接点と前記第４接点部の順序で接触されて前記メインランプが点灯されることを特徴とする前照灯切換スイッチ。
【発明の詳細な説明】
【０００１】
【発明の属する技術分野】
本発明は、前照灯切換スイッチに関し、詳しくは、操作レバーによりパッシングスイッチの切換えを行う際に接点オンの機能を分散させるようにした前照灯切換スイッチに関するものである。
【０００２】
【従来の技術】
図４に、実用新案登録第２５５６１１８号公報に開示された従来の前照灯切換スイッチの基盤の構成を示している。この基板の構成は、中央列に主電源接点２７Ｍおよび副電源接点２７Ｓを配置し、その左右にはメインランプ接点２７Ｈおよびディマランプ接点２７Ｄを配置している。可動接点２８は三角点に結合した構造とし、この可動接点２８を摺動させるようにしている。
【０００３】
そして、可動接点２８は、第１接点２８ａが第１の列である副電源接点２７Ｓおよび主電源接点２７Ｍと対応し、第２接点２８ｂが第２の列であるメインランプ接点２７Ｈおよびパッシング接点２７Ｐと対応し、第３接点２８ｃが第３の列であるディマランプ接点２７Ｄと対応することにより、スイッチ切換え機能を分散させている。
【０００４】
【発明が解決しようとする課題】
上記従来技術は、可動接点２８の機能を分散させることにより、接点磨耗を均一化させようとしたものであるが、実際には各々のスイッチの使用頻度には差があるため、均一に磨耗することはあり得ない。
【０００５】
例えば、パッシングは昼夜共に機能的に使用するものであり、通常は一度の操作で数回のオンオフ行うため、使用頻度は多くなる。また、ディマ切換えは基本的には夜間しか使用しないため、使用頻度は少ない。このような使用頻度の違いにより、均一な磨耗とならず、使用頻度の高いパッシングスイッチの耐久性が低下するという問題がある。
【０００６】
本発明は上述の点に着目してなされたもので、パッシングスイッチの切換えを行う際に接点オンの機能を分散させて磨耗を均一化し、パッシングスイッチの耐久性の向上を図った前照灯切換スイッチを提供することを目的とする。
【０００７】
【課題を解決するための手段】
前記目的を達成するため、請求項１記載の発明は、電源と接続されたＢ接点、ヘッド接点、メインランプと接続されたメイン接点及びディマランプと接続されたディマ接点とからなる固定接点と、第１接点部、第１接点部と接続された第２接点部、第２接点部と接続された第３接点部、第３接点部及び第１接点部と接続された第４接点部とからなるパッシング用可動接点と、前記ディマランプの点灯状態をオン・オフさせるライティング用可動接点とを備えた前照灯切換スイッチであって、前記ライティング用可動接点がオフのとき、前記ヘッド接点と前記第４接点部及び前記ディマ接点と前記第３接点部とが無印加状態で接触され、前記ライティング用可動接点がオンのとき、前記ヘッド接点と前記第４接点部及び前記ディマ接点と前記第３接点部とが印加状態で接触され、前記ライティング用可動接点がオフの状態で前記パッシング用可動接点が可動したとき、前記メイン接点と前記第１接点部→前記ヘッド接点と前記第２接点部及び第３接点部→前記Ｂ接点と前記第４接点部の順序で接触されて前記メインランプが点灯され、前記ライティング用可動接点がオンの状態で前記パッシング用可動接点が可動したとき、前記メイン接点と前記第１接点部→前記ヘッド接点と前記第２接点部及び第３接点部→前記Ｂ接点と前記第４接点部の順序で接触されて前記メインランプが点灯されることを特徴とするものである。
【０００８】
このため、請求項１記載の発明では、昼間においては、メイン接点→ヘッド接点→Ｂ接点の順でパッシング用可動接点が接触し、この場合、ヘッド接点には電位がかかっていない（前照灯オフであるため）ため、Ｂ接点への接触時に導通状態が成立し、この時接触している接点部にアーク消耗が発生する。
【０００９】
夜間においては、ライティング用可動接点はＢ接点とヘッド接点に接触し、ヘッドランプ点灯状態になっており、この状態でパッシング操作を行うと、ヘッド接点はすでに電位がかかっているため、この時接触している別の接点部でアーク消耗が発生する。
【００１０】
したがって、ライティング用可動接点がオフの昼間と、オンの夜間とで、パッシング用可動接点によるパッシングライト点灯機能をパッシング用可動接点の４個の接点部に分散することができるため、パッシング用可動接点の耐久性が向上する。
【００１２】
また、請求項１記載の発明では、各固定接点、すなわちメイン接点、Ｂ接点、ヘッド接点、ディマ接点等の配列を変更するだけでよく、部品点数、組付け作業も変更せず、コストアップすることなく耐久性が向上を図ることができる。
【００１３】
【発明の実施の形態】
以下、本発明の前照灯切換スイッチの実施の形態を図１〜図３に基づいて詳述する。
【００１４】
図１において、図示しない操作レバーにより操作される接点ホルダ１にパッシング用可動接点４が以下のように嵌合されている。
【００１５】
すなわち、接点ホルダ１の両側にガイド溝２が形成され、このガイド溝２内に係止爪３が形成されている。パッシング用可動接点４は、十字状に形成された４個の接点部、すなわち、第１接点部４ａ、第２接点部４ｂ、第３接点部４ｃ、および第４接点部４ｄを有している。
【００１６】
これら接点部４ａ〜４ｄの両端に側壁部５が折曲形成され、側壁部５に係止孔６が形成されており、この係止孔６が係止爪３に上下動可能に保持されている。可動接点４と接点ホルダ１との間にはスプリング９が設けられ、可動接点４を下向きに付勢し、下部の基盤１１上に設けられた固定接点１０に圧接している。なお、図１には示していないが、ライティング用可動接点８（図２参照）も接点ホルダ１に同様の手段で取り付けられている。
【００１７】
図２および図３は、上記固定接点１０の構成を示している。すなわち、固定接点１０は、メイン接点１０Ｍ、Ｂ接点１０Ｂ、ヘッド接点１０Ｈおよびディマ接点１０Ｄで構成されている。具体的には、メイン接点１０Ｍの左側にＢ接点１０Ｂが設けられ、メイン接点１０ＭとＢ接点１０Ｂに沿うように電源側のヘッド接点１０Ｈが設けられ、ヘッド接点１０Ｈの右側にはディマ接点１０Ｄが設けられている。メイン接点１０Ｍにはメインランプ１２が、ディマ接点１０Ｄにはディマランプ１３が各々接続されている。
【００１８】
図２（ａ）および（ｂ）は、昼間のパッシング動作を示している。
【００１９】
図２（ｂ）はディマ接点１０Ｄのオンの状態を示しており、パッシング用可動接点４の第１接点部４ａは、メイン接点１０Ｍの凹部１０ａの部分に入り、第２接点部４ｂはヘッド接点１０Ｈの左側の基盤１１（図１参照）上、第３接点部４ｃは、ディマ接点１０Ｄ上、かつ第４接点部４ｄは、ヘッド接点１０Ｈ（図１の右側の固定設定１０）上に位置している。また、ライティング用可動接点８は、Ｂ接点１０Ｂから離れオフの状態（前照灯消灯）になっている。
【００２０】
この図２（ｂ）の状態から、パッシング用可動接点４を図上左方向にスライドさせると、最初に第１接点部４ａがメイン接点１０Ｍに接触し、次に第２接点部４ｂがヘッド接点１０Ｈに、次に第４接点部４ｄがＢ接点１０Ｂに接触する。つまり、メイン接点１０Ｍ→ヘッド接点１０Ｈ→Ｂ接点１０Ｂの順でパッシング用可動接点４の接点部が接触し、図２（ａ）の状態となる。
【００２１】
図２（ａ）において、Ｂ接点１０Ｂおよびメイン接点１０Ｍの斜線は電位がかかっている状態を示している。この場合、ヘッド接点１０Ｈには電位がかかっていないため、Ｂ接点１０Ｂへの接触時に導通状態が成立し、このとき第４接点部４ｄにアーク消耗が発生する（アーク消耗が発生する接点部を斜線で示す）。
【００２２】
図３（ａ）、（ｂ）および（ｃ）は、夜間のパッシング動作を示している（図２と同様に固定接点の斜線は電位がかかっている状態を示し、接点部の斜線はアーク消耗が発生している状態を示す）。
【００２３】
図３（ｂ）のディマ接点１０Ｄオンの状態において、ライティング用可動接点８はＢ接点１０Ｂとヘッド接点１０Ｈに接触し、ヘッドランプ点灯状態になっている。
【００２４】
この状態でパッシング操作を行うと、メイン接点１０Ｍ→ヘッド接点１０Ｈ→Ｂ接点１０Ｂの順で接点が接触し、図３（ａ）の状態となる。この場合、ヘッド接点１０Ｈはすでに電位がかかっている。
すなわち、ライティング用可動接点８がオンの夜間では、パッシング操作は、パッシング用可動接点４を、メイン位置（ヘッドランプが点灯状態（図３（ｃ）））からディマ位置（図３（ｂ））を経由してパッシング位置（図３（ａ））にスライドさせることにより行われる。そしてディマ位置からパッシング位置へのパッシング用可動接点４のスライドは、第１接点部４ａのメイン接点１０Ｍへの接触→第２接点部４ｂのヘッド接点１０Ｈへの接触→第４接点部４ｄのＢ接点１０Ｂへの接触の順序で接触するように行われる。このときの第２接点部４ｂのヘッド接点１０Ｈへの接触は、第１接点部４ａのメイン接点１０Ｍへの接触後、第４接点部４ｄのＢ接点１０Ｂおよびヘッド接点１０Ｈへの不接触状態、並びに第３接点部４ｃのヘッド接点１０Ｈへの不接触状態が維持された状態で行われる。この不接触状態の第４接点部４ｄおよび第３接点部４ｃは、基盤１１（図１参照）上に位置している。第４接点部４ｄのＢ接点１０Ｂおよびヘッド接点１０Ｈへの不接触状態、並びに第３接点部４ｃのヘッド接点１０Ｈへの不接触状態が維持された状態は、メイン接点１０Ｍには電位がかかっていないため、第２接点部４ｂのヘッド接点１０Ｈへの接触時に導通状態が成立し、このとき接触している第２接点部４ｂにアーク消耗が発生する。
これ以降、第４接点部４ｄのＢ接点１０Ｂへの接触、および第３接点部４ｃのヘッド接点１０Ｈへの接触が行われパッシング位置（図３（ａ））に達する。
また、パッシング位置（図３（ａ））からディマ位置（図３（ｂ））に復帰すると第４接点部４ｃでアーク消耗が発生する。
【００２５】
また、ディマ位置（図３（ｂ））の状態からパッシング用可動接点４を図上右方向にスライドさせると、メイン位置（図３（ｃ））に示すように、メイン接点１０Ｍオン、ディマ接点１０Ｄオフとなり、第１接点部４ａでアーク消耗が発生する。
【００２６】
以上の説明で明らかなように、ライティング用可動接点８がオフの昼間と、ライティング用可動接点８がオンの夜間とで、パッシングライト点灯機能を第１接点部４ａ〜第４接点部４ｄからなる４個の接点部にそれぞれ分散しているため、パッシングスイッチ、すなわちパッシング用可動接点４の耐久性が向上すると共に、各固定接点１０Ｍ，１０Ｂ，１０Ｈ，１０Ｄ等の配置を変更するだけでよく、部品点数、組付け作業も従来と変わりなく、コストアップすることなく耐久性の向上を図ることができる。
【００２７】
【発明の効果】
以上、詳述したように、請求項１記載の発明によれば、ライティング用可動接点がオフの昼間とオンの夜間とで、パッシングライト点灯機能をパッシング用可動接点の４個の接点部に分散しているため、アークによる接点部の消耗が均一化され、パッシングスイッチの耐久性を向上させることができる。
【００２８】
また、請求項１記載の発明によれば、ライティング用可動接点は４箇所に第１接点部〜第４接点部が形成され、固定接点は、メイン接点、Ｂ接点、ヘッド接点およびディマ接点で構成されているので、各固定接点の配置を変更するだけでよく、部品点数、組付け作業も従来と変わりなく、コストアップすることなく接点部の耐久性の向上を図ることができる。
【図面の簡単な説明】
【図１】本発明の前照灯切換スイッチの要部の分解斜視図である。
【図２】固定接点の配置と昼間の可動接点の動作を示す説明図で、（ａ）はパッシング切換時、（ｂ）はディマ切換時を示す。
【図３】固定接点の配置と夜間の可動接点の動作を示す説明図で、（ａ）はパッシング切換時、（ｂ）はディマ切換時、（ｃ）はメイン切換時を示す。
【図４】従来の前照灯切換スイッチの基盤部の構成を示す平面図である。
【符号の説明】
４  パッシング用可動接点
４ａ  第１接点部
４ｂ  第２接点部
４ｃ    第３接点部
４ｄ    第４接点部
８  ライティング用可動接点
１０  固定接点
１０Ｍ  メイン接点
１０Ｂ  Ｂ接点
１０Ｈ  ヘッド接点
１０Ｄ  ディマ接点
【図１】
0003761723.tif 000002
【図２】
0003761723.tif 000003
【図３】
0003761723.tif 000004
【図４】
0003761723.tif 000005